(57)【特許請求の範囲】
【請求項１】
収納凹部を有する容器本体と、前記容器本体に取り付け可能な蓋体とを備え、枠部と該枠部内に設けられた網部からなるメッシュ体を該収納凹部の開口部を覆うように載置自在なコンパクト容器であって、前記メッシュ体を載置した際に前記収納凹部の開口部周辺であって該メッシュ体の網部がかかる部位に係止部が設けられ、該係止部が、前記収納凹部の開口周辺部の上端部に形成された少なくとも１つの突起状係止部であって、前記メッシュ体を載置した際に該網部の任意の網目の少なくとも１つの孔に該突起状係止部が挿入されることを特徴とするコンパクト容器。
【請求項２】
前記係止部が、前記収納凹部の開口周辺部の上端部に複数・等間隔で形成されていることを特徴とする請求項１に記載のコンパクト容器。
【請求項３】
前記収納凹部の内部に仕切り壁が形成されていることを特徴とする請求項１または請求項２のいずれかに記載のコンパクト容器。
【請求項４】
前記メッシュ体につまみ片が形成されていることを特徴とする請求項１ないし請求項３のいずれか１項に記載のコンパクト容器。
【発明の詳細な説明】
【技術分野】
【０００１】
本発明は、メッシュの孔を通して化粧料を塗布具に付着させるタイプの製品に用いる、コンパクト容器の構成に関するものである。
【背景技術】
【０００２】
従来、コンパクト容器を用いる製品で、主に粉末状化粧料や粉末含有化粧料を収納し、メッシュの孔を通してパフや刷毛等の塗布具に付着させ、肌に適用させるタイプのものがある。このように、メッシュを介して化粧料を塗布具に付着させた場合には、塗布具に化粧料を適量且つ均一に付着させやすいため、肌へのムラ付きが少ない等のメリットがある。
【０００３】
上記のメッシュの容器本体への取り付けかたは種々の方法があり、具体的には、容器本体へ固定する方法（特許文献１、２）や化粧料の上に直接載置する方法（特許文献３）などが知られている。
【０００４】
しかしながら、特許文献１、２のように容器本体へ固定する方法の場合、化粧料が残り少なくなったときに化粧皿の中のとりわけ入隅部分に残った化粧料が取りにくくなり、塗布具への付着量が減って肌への付きが悪くなったり、最後まで化粧料を使用しきれない場合がある等の問題があった。
【０００５】
また、メッシュにより塗布具に化粧料を適量且つ均一に付着させる以外に、部分的に化粧料の塗布量を多くして化粧したい場合などには、メッシュを介さずに、直接塗布具や指などに化粧料を付着させることもあり、かかる場合、メッシュが容器に固定されているものは容易に取り外すことができずに不便であった。さらに、メッシュを容器に固定させるためには、メッシュの保持具や容器の構造も複雑にならざるを得ず、コスト高の要因となっていた。
【０００６】
その点、メッシュを化粧料の上に直接載置する方法ではメッシュが常にほぼ一定の状態で化粧料に接しており、化粧料の残量が減っても化粧料が取りにくくなるという問題は少ないものの、塗布具に化粧料を付着させる際に、メッシュが回転するなど容器本体内で動いてしまうため、塗布具より余分な化粧料を払い落として化粧料を適量且つ均一に付着させるというメッシュ本来の目的を十分に果たせない場合があった。また、使用時にメッシュが容器本体から外れやすく、落下しやすいというデメリットもあった。
【０００７】
そこで、特許文献４では、メッシュを化粧料の上に直接載置するとともに、メッシュの周縁部に下方突出爪片を設けて、かかる突出爪片を化粧料に差し込んでメッシュを係止させるコンパクト容器が開示されている。この方法によれば、化粧料の残量が減ったときに化粧料が取りにくくなるという課題や、使用時にメッシュが動いたり、外れてしまうという課題は解決されるものの、化粧料がルースパウダー状の粉末状化粧料の場合には係止が困難であり十分な効果が得られなかった。
【特許文献１】実公昭１０−００４６２６
【特許文献２】特許３４２６１３８
【特許文献３】実開昭６３−０９１２１４
【特許文献４】実公平６−４６４１２
【発明の開示】
【発明が解決しようとする課題】
【０００８】
そこで本発明は、従来のコンパクト容器のかかる欠点を克服し、使用時にはメッシュの回転などの動きを防止し、化粧料を直接、塗布具や指に取り出したいときには簡単にメッシュを取り外すことができるコンパクト容器の提供をその課題とするものである。
【課題を解決するための手段】
【０００９】
本発明は、上記課題を解決するものであり、収納凹部を有する容器本体と、前記容器本体に取り付け可能な蓋体とを備え、枠部と該枠部内に設けられた網部からなるメッシュ体を該収納凹部の開口部を覆うように載置自在なコンパクト容器であって、前記メッシュ体を載置した際に前記収納凹部の開口部周辺であって該メッシュ体の網部がかかる部位に係止部が設けられていることを特徴とするコンパクト容器である。
【発明の効果】
【００１０】
本発明のコンパクト容器は、メッシュを介して塗布具に化粧料を付着させるときはメッシュの回転などの動きや落下を防止することができ、化粧料を直接、塗布具や指に取り出したいときには片手でも簡単にメッシュを取り外すことができる。また、化粧料の残量が少なくなったときにもメッシュを簡単に取り外して使用することにより、化粧料を最後まで使い切ることができる。
【００１１】
本発明のコンパクト容器は、従来のコンパクト容器と比較しても非常に簡易な構成であるため、製造が容易であり、製造コストも抑えることが可能である。
【図面の簡単な説明】
【００１２】
【図１】本発明のコンパクト容器の斜視図。
【図２】本発明のコンパクト容器のメッシュ体を載置していない状態の容器本体の平面図。
【図３】本発明のコンパクト容器のメッシュ体を載置していない状態の断面図。
【図４】本発明のコンパクト容器のメッシュ体を載置した状態の一部拡大断面図。
【図５】本発明のコンパクト容器のメッシュ体を載置した状態の容器本体の平面図。
【図６】本発明のコンパクト容器の他の実施態様におけるメッシュ体の斜視図。
【発明を実施するための形態】
【００１３】
以下、本発明の塗布具付き容器の実施態様を、図面に基づいて具体的に説明する。なお、本発明はこれら実施態様に何ら制約されるものではない。
【００１４】
図１は、本発明のコンパクト容器の斜視図、図２は同容器のメッシュ体を載置していない状態の容器本体の平面図、図３は同容器のメッシュ体を載置していない状態の断面図である。図中、１は容器本体、２はメッシュ体、３は蓋体、４は中蓋、さらに、１１は収納凹部、１２は係止部、１３は側壁部、１４は周縁部、１５は仕切り壁、２１は枠部、２２は網部、１１１は開口部をそれぞれ示す。
【００１５】
図に示すように、本発明のコンパクト容器は、容器本体１と、容器本体１の側面に開閉自在に取り付けられた蓋体３及び容器本体１に設けられた記収納凹部１１を覆うように載置できるメッシュ体２からなり、本実施態様では、更に、載置されたメッシュ体２を覆って蓋をできるように、中蓋４が容器本体１に開閉自在に設けられている。
【００１６】
容器本体１は、化粧料を収納するための収納凹部１１が設けられており、その中央に該収納凹部１１を分割する仕切り壁１５が設けられている。このように、仕切り壁１５によって区分けすることにより、収納凹部１１内に色や組成等の異なる２種類の化粧料を収納可能となり、メッシュ体２の網部２２を介して刷毛やチップ、パフ等の塗布具に該２種類の化粧料を混合状態で付着させたり、またメッシュ体２を取り外してどちらか一方の化粧料のみを塗布具に付着させるなど、種々の方法で化粧ができるため、好ましい。また、収納凹部１１を周囲から区画する側壁１３の上端部には、計４箇所に突起状の係止部１２が形成されている。係止部１２の位置・数についての制限は特にないが、本実施態様のように、仕切り壁１５の延長線上の側壁１３に２箇所、また、これら２箇所の係止部１２から中間に位置する側壁１３に更に２箇所設けると、側壁１３の上端部に計４箇所の係止部１２が等間隔に設けられることになり、形成メッシュ体２の回転防止に十分な効果を得られるとともに、使用時にメッシュ体２を回転させる力が４箇所に分散され、網部２２の一部分のみに力が加わることによる損傷などを防ぐことができて望ましい。係止部１２は、本発明の効果を損なわない範囲において任意の個数であり得るが、メッシュ体２の取り外しやすさを損なわない点で、２ないし１６箇所、特に３ないし８箇所が好ましい。また、これらの係止部１２は、側壁１３の上端部に等間隔に設けても、またそれぞれの間隔を異なるものとして設けてもよいが、安定な載置のためには、等間隔に設けることが好ましい。さらに、係止部１２の突起の形状は、円柱、多角柱、円錐台、多角錐台、円錐、多角錐等、網部２２の孔に挿入し得るものであれば限定されず、種々の形状をとり得るが、円柱、多角柱、円錐台、多角錐台が好ましい。当該突起の寸法については、突起の平面視の最大径が、網部２２の目開きとほぼ同等か、それより小さい寸法であることが好ましく、０．３〜３ｍｍ、特に０．５〜２ｍｍが好ましい。また、突起の高さは０．３〜３ｍｍ、特に０．５〜２ｍｍが好ましい。
【００１７】
メッシュ体２は、環状の枠部２１と、その中に張られた網部２２からなり、容器本体１には、枠部２１が容器本体１の収納凹部１１の周囲に形成された周縁部１４に載置されることで取り付けられる。網部２２の素材は特に限定はされないが、使用時に網部２２がある程度撓む方が好ましく、伸縮性を有する素材、具体的にはポリエステル、ポリウレタン、ナイロン、絹等を好適に使用することができる。
【００１８】
次に、図４および図５により、本発明のコンパクト容器のメッシュ体２を載置した状態について説明する。容器本体１の周縁部１４は、側壁１３に比べて一段低く形成されており、この周縁部１４にメッシュ体２の枠部２１を落とし込むことで、メッシュ体２は容器本体１内にセットされる。このとき、平面視で、側壁１３は枠部２１の内側に位置している。すなわち、メッシュ体２を容器本体１にセットすると、網部２２が開口部１１１全体を覆うとともに側壁１３全体にもかかることになる。そして、側壁１３の上端部には、突起状の係止部１２が形成されているため、メッシュ体２を載置したときに、これら係止部１２が網部２２の網目のいずれかの孔に挿入された状態となる。このように、突起状の係止部１２が網部２２の網目の孔に挿入されることによって、塗布具に化粧料を付着させる際には、網部２２の撓み性により多少の揺れはあるものの、塗布具との摩擦力によるメッシュ体２の回転運動などの水平方向の動きが規制されることになる。化粧終了後は、中蓋４を閉めれば、枠部２１が周縁部１４で押圧固定され、メッシュ体２がコンパクト容器から外れることはない。網部２２の目開きについては、メッシュ体２の網部２２を通って化粧料が塗布具に付着可能なものであれば特に限定されないが、化粧料を適量且つ均一に付着させるために、０．３〜５ｍｍ、特に０．５〜３ｍｍの目開きのものが好ましい。
【００１９】
このように、係止部１２が網部２２の網目に挿入されてメッシュ体２の動きを規制することには、以下のメリットが認められる。すなわち、係止部１２を挿入可能な凹部などを別途、枠部２１に設けた場合、メッシュ体２取り付け時にかかる凹部と係止部１２の位置あわせが必要となるため、作業が繁雑となる。その点、本発明のように、メッシュ体２の任意の網部２２に挿入されるようにすれば、どの向きでもメッシュ体２をただ載置しただけで係止部１２は挿入されるので位置あわせの必要がなく取り付けが容易である。
【００２０】
メッシュ体２の取り付け方法については以上のとおりであるが、取り外しについては、上から網部２２を指でつまみ上げることによって、片手でも簡単に容器本体１から取り外し可能である。また、図６に示すように、枠部２１につまみ片２３などを別途設けることにより、取り外し作業がより容易となるため、好ましい。
【００２１】
このように、簡単にメッシュ体２が取り外し可能となったことにより、化粧料の残量が少なくなったときにすぐにメッシュ体２を取り外して使用することができ、化粧料を最後まで使い切ることができるようになったことはいうまでもないが、さらに、肌上で部分的に化粧料の塗布量を増やしたいときなど、メッシュ体２を取り外して化粧料を塗布具や指に直接付着させることができる。さらに、本実施態様のように、複数の種類の化粧料を収容するタイプのものは、いずれか一つの化粧料についてはメッシュ体２を介して均一に塗布具に付着させ、他の化粧料はメッシュ体２を外して直接塗布具に付着させて肌に塗る化粧方法や、メッシュ体２を介して塗布具に複数の種類の化粧料を混合状態で付着させ、広範囲の肌に薄く均一に塗った後で、メッシュ体２を取り外していずれか一つの化粧料を塗布具や指で肌の特定部位に濃く塗る化粧方法など、より自由度の高い化粧方法を可能にするという効果を有し、本特許の効果を十分に享受することができる。
【符号の説明】
【００２２】
１  …  …  容器本体
２  …  …  メッシュ体
３  …  …  蓋体
４  …  …  中蓋
１１  …  …  収納凹部
１２  …  …  係止部
１３  …  …  側壁部
１４  …  …  周縁部
１５  …  …  仕切り壁
２１  …  …  枠部
２２  …  …  網部
２３  …  …  つまみ片
１１１  …  …  開口部
【図１】
0005558913.tif 000002
【図２】
0005558913.tif 000003
【図３】
0005558913.tif 000004
【図４】
0005558913.tif 000005
【図５】
0005558913.tif 000006
【図６】
0005558913.tif 000007